(57)【要約】      （修正有）【課題】折り畳まなくとも簡単に携行できるエコバッグを内部に収容可能な二重バッグを提供する。【解決手段】外バッグ１０と、該外バッグの内部に収容可能な内バッグ２０とから成り、外バッグの開口部内周面に着脱手段１２を設けると共に、内バッグの開口部外周面に、外バッグの着脱手段と脱着する着脱手段２２を設けて構成した。二重バッグにおいて、着脱手段をスナップボタンで構成し、内バッグの内面に防水加工を施した。【選択図】図１
0003224071.tif 000002
【実用新案登録請求の範囲】
【請求項１】
外バッグ（１０）と、該外バッグ（１０）の内部に収容可能な内バッグ（２０）とから成り、外バッグ（１０）の開口部（１１）内周面に着脱手段（１２）を設けると共に、内バッグ（２０）の開口部（２１）外周面に、前記外バッグ（１０）の着脱手段（１２）と脱着する着脱手段（２２）を設けた二重バッグ。
【請求項２】
着脱手段（１２）及び着脱手段（２２）がスナップボタンである  請求項１に記載の二重バッグ。
【請求項３】
内バッグ（２０）の内面に防水加工を施した請求項１又は請求項２に記載の二重バッグ。
【考案の詳細な説明】
【技術分野】
【０００１】
本考案は、エコバッグを内部に収容可能な二重バッグに関するものである。    
【背景技術】
【０００２】
環境保護運動の一つとして、いわゆるエコバッグの普及が進んでいる。小売店のレジ袋を使わずに消費者が持参したバッグを繰り返し使用することにより、ごみの削減や、温室効果ガスの削減を図るものである。
【０００３】
かかるエコバッグの携帯性を高めるため、簡単に折り畳めるようにした考案が特許文献１に開示されている。また、特許文献２には、携帯に便利なように小さな買い物袋を折りたたみ、ファスナー付きの袋型ぬいぐるみの中に収納するようにした発明が開示されている。
【先行技術文献】
【特許文献】
【０００４】
【特許文献１】特許公報第４９６５７２７号
【特許文献２】特開２００９−２０２９３８号公報
【考案の開示】
【考案が解決しようとする課題】
【０００５】
上記従来例のようにエコバッグを折り畳めるようにすれば、携帯には便利であるが小さく折り畳むわずらわしさがある。
【０００６】
そこで本考案は、折り畳まなくとも簡単に携行できるエコバッグを内部に収容可能な二重バッグを提供することを目的とする。
【課題を解決するための手段】
【０００７】
上記課題を解決する本考案の構成は、以下の通りである。
【０００８】
（１）  請求項１に記載の考案は、外バッグと、該外バッグの内部に収容可能な内バッグとから成り、外バッグの開口部内周面に着脱手段を設けると共に、内バッグの開口部外周面に、前記外バッグの着脱手段と脱着する着脱手段を設けて構成した。
【０００９】
（２）  請求項２に記載の考案は、請求項１記載の二重バッグにおいて、着脱手段をスナップボタンで構成した。  
【００１０】
（３）  請求項３に記載の考案は、請求項１又は請求項２に記載の二重バッグにおいて、内バッグの内面に防水加工を施した。
【考案の効果】
【００１１】
上記のように構成される本考案が、如何に作用して課題を解決するかを図面を参照しながら概説する。
【００１２】
本考案において、エコバッグに該当するのは、図３に示される内バッグ２０である。この内バッグ２０の開口部２１の外周面には、着脱手段２２が複数取り付けてある。
【００１３】
他方で該内バッグ２０を内部に収容可能な外バッグ１０は、図２に示すようにその開口部１１の内周面に着脱手段１２が複数取り付けられている。
【００１４】
そして、図１に示すように外バッグ１０内に内バッグ２０を収容し、着脱手段１２と着脱手段２２とを固定することで、内バッグ１０を外バッグ１０に安定して収容することが可能となる。すなわち、折り畳まなくとも簡単に携行できるエコバッグを内部に収容可能な二重バッグを提供することが可能となるのである。
【００１５】
かように、本考案によれば外バッグ１０内に内バッグ２０を収容セットし、普段使いのバッグとして使用しながら、仕事帰りや学校帰りなどにスーパーなどで買い物をした際に、内バッグ２０を取り外し、スーパーに設置されている買い物かごの中に内バッグ２０をセットすることでエコバッグとしての利用も可能となるのである。
【００１６】
請求項３に記載の考案では、内バッグ２０の内部に防水加工を施してある。かかる構造とすることで、例えば水滴がついたり水漏れの恐れのあるものを購入して内バッグ２０内に入れても、外バッグ１０が濡れる恐れが無く、エコバッグとしての内バッグ２０の性能が高まるものである。
【図面の簡単な説明】
【００１７】
【図１】本考案の実施状態を示す説明斜視図
【図２】外バッグの態様を示す説明斜視図
【図３】内バッグの態様を示す説明斜視図
【考案を実施するための形態】
【００１８】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。
【００１９】
図２は外バッグ１０の概略を示す説明斜視図である。図示されるように外バッグ１０は、上面に開口部１１が存するバッグ本体１３ と、バッグ本体１３の開口部１１に取り付けられた持ち手１４とを主な構成要素とする。
【００２０】
バッグ本体１３の素材はバッグに利用される一般的な素材、例えば綿、ポリエステル、デニム、不織布等を利用可能である。また、撥水加工を施せば使い勝手に富むものとなる。
【００２１】
図３は内バッグ２０の概略を示す説明斜視図である。図示されるように内バッグ２０は、上面に開口部２１が存するバッグ本体２３ と、バッグ本体２３の開口部２１に取り付けられた持ち手２４とを主な構成要素とする。
【００２２】
バッグ本体２３の素材はバッグに利用される一般的な素材、例えば綿、ポリエステル、デニム、不織布等を利用可能である。また、請求項３に記載の考案では、バッグ本体２３の内面には防水加工が施してある。防止加工の方法はバッグ類で一般的に用いられている防水加工法、例えばエナメル・パテントコーティングやシュリンク加工、ろう仕上げ、オイル加工等を利用可能である。
【００２３】
本考案においては、外バッグ１０の開口部１１内周面に複数の着脱手段１２・・を設けると共に、内バッグ２０の開口部２１外周面に、前記外バッグ１０の着脱手段１２と脱着可能な着脱手段２２・・が複数設けられている。着脱手段１２,２２を安定して取り付けるために、開口部１１,２１の周縁に、それぞれに補強布１５,２５を縫着しても構わない。
【００２４】
着脱手段１２と着脱手段２２とは、内バッグ２０を外バッグ１０内に装着した際に、それぞれが対向する位置に取り付けてある。着脱手段１２及び着脱手段２２は、外バッグ１０と内バッグ２０を着圧自在に固定できるものであれば任意のもの、例えば面状ファスナやスナップボタンを採用できる。当然、着脱手段１２がフック状の面状ファスナであれば着脱手段２２はループ状の面状ファスナとなり、着脱手段１２がループ状の面状ファスナであれば着脱手段２２はフック状の面状ファスナとなる。同様に着脱手段１２が雄型のスナップボタンであれば着脱手段２２は雌型のスナップボタンとなり、着脱手段１２が雌型のスナップボタンであれば着脱手段２２は雄型のスナップボタンとなる。
【００２５】
また、着脱手段
【符号の説明】
【００２６】
１０・・外バッグ
１１・・開口部
１２・・着脱手段
１３・・バッグ本体
１４・・持ち手
２０・・内バッグ
２１・・開口部
２２・・着脱手段
２３・・バッグ本体
２４・・持ち手
【図１】
0003224071.tif 000003
【図２】
0003224071.tif 000004
【図３】
0003224071.tif 000005